(57)【特許請求の範囲】
【請求項１】
器具本体、及び、前記器具本体に取り付けられた光源を備える灯体と、
開口部を有し、前記光源から出射された光を反射して前記開口部から放射する筒状の反射部材とを備え、
前記反射部材には、２つの第１被係止部が設けられ、
前記灯体には、２つの第１係止部が設けられ、
前記反射部材は、前記２つの第１係止部が前記２つの第１被係止部の各々に係止することによって、前記灯体に支持され、
前記反射部材の外縁部には、前記灯体に当接する少なくとも２つの突起部が設けられている
照明器具。
【請求項２】
前記２つの第１係止部を結ぶ第１仮想線と、前記２つの突起部を結ぶ第２仮想線とは、交差している、又は、ねじれの位置にある
請求項１に記載の照明器具。
【請求項３】
前記第１仮想線と前記第２仮想線とを前記開口部の開口面に投影した場合に、前記第１仮想線の投影像と前記第２仮想線の投影像とがなす角度は、４５度以上９０度以下である
請求項２に記載の照明器具。
【請求項４】
前記照明器具は、さらに、前記開口部を覆うように設けられた透光性の光学部材を備える
請求項１〜３のいずれか１項に記載の照明器具。
【請求項５】
前記灯体又は前記反射部材には、さらに、第２係止部と、斜面を有する第１凸部とが設けられ、
前記光学部材には、第２被係止部が設けられ、
前記光学部材は、前記第２係止部が前記第２被係止部に係止することで、前記灯体又は前記反射部材に支持され、
前記光学部材の外縁部は、前記斜面に当接している
請求項４に記載の照明器具。
【請求項６】
前記光学部材は、前記斜面に点接触している
請求項５に記載の照明器具。
【請求項７】
前記第１凸部は、前記光学部材が当接することによって撓んでいる
請求項５又は６に記載の照明器具。
【請求項８】
前記灯体又は前記反射部材には、さらに、第２凸部が設けられ、
前記光学部材は、前記第２係止部と前記第２凸部とによって挟持されている
請求項５〜７のいずれか１項に記載の照明器具。
【請求項９】
前記光学部材は、フレネル構造を有する
請求項４〜８のいずれか１項に記載の照明器具。
【請求項１０】
前記灯体は、さらに、前記光源の移動を規制する取付部材を備え、
前記２つの第１係止部は、前記取付部材に設けられている
請求項１〜９のいずれか１項に記載の照明器具。
【請求項１１】
前記取付部材は、前記光源が配置される貫通孔を有する枠体部を有し、
前記第１係止部は、前記枠体部から前記反射部材に向かって立設された爪部である
請求項１０に記載の照明器具。
【発明の詳細な説明】
【技術分野】
【０００１】
本発明は、照明器具に関する。
【背景技術】
【０００２】
従来、例えば、ダウンライトのように天井に埋込配設されて、下方に光を照射する天井埋込型の照明器具などが知られている。この種の照明器具は、光源部と、光源部から出射された光を反射面で所定方向へ反射させて放射する反射部とを備える（例えば、特許文献１参照）。特許文献１に開示された照明器具では、反射体の外周面に設けられた切欠部と、器具本体に設けられた突状とを係止させることで、反射体が器具本体に取り付けられている。
【先行技術文献】
【特許文献】
【０００３】
【特許文献１】特開２００８−３１１２３８号公報
【発明の概要】
【発明が解決しようとする課題】
【０００４】
上記従来の照明器具では、切欠部と突状との係止は、ネジ止めなどの場合に比べて組み立てが容易であるという利点はあるものの、器具本体による反射体の支持が不十分となる。このため、例えば運搬時又は取り付け時などに反射体が器具本体に対してがたついて異音が発生する場合があり、照明器具の品質上好ましくない。
【０００５】
そこで、本発明は、組み立て作業性の悪化を抑制することができ、かつ、部材のがたつきの発生を抑制することができる照明器具を提供することを目的とする。
【課題を解決するための手段】
【０００６】
上記目的を達成するため、本発明の一態様に係る照明器具は、器具本体、及び、前記器具本体に取り付けられた光源を備える灯体と、開口部を有し、前記光源から出射された光を反射して前記開口部から放射する筒状の反射部材とを備え、前記反射部材には、２つの第１被係止部が設けられ、前記灯体には、２つの第１係止部が設けられ、前記反射部材は、前記２つの第１係止部が前記２つの第１被係止部の各々に係止することによって、前記灯体に支持され、前記反射部材の外縁部には、前記灯体に当接する少なくとも２つの突起部が設けられている。
【発明の効果】
【０００７】
本発明に係る照明器具によれば、組み立て作業性の悪化を抑制することができ、かつ、部材のがたつきの発生を抑制することができる。
【図面の簡単な説明】
【０００８】
【図１】実施の形態に係る照明器具の概観斜視図である。
【図２】実施の形態に係る照明器具の分解斜視図である。
【図３】実施の形態に係る照明器具の断面図である。
【図４】実施の形態に係る照明器具の反射部材の概観斜視図である。
【図５】実施の形態に係る照明器具の反射部材の平面（下面）図である。
【図６】実施の形態に係る照明器具の一部分解斜視図であって、取付部材及び反射部材を示す図である。
【図７】実施の形態に係る照明器具の器具本体と反射部材の突起部とが当接していることを示す平面（下面）図である。
【図８】図５のＶＩＩＩ−ＶＩＩＩ線における実施の形態に係る光学部材が反射部材に支持されていることを示す断面図である。
【図９】実施の形態に係る光学部材の厚さに応じた第１凸部と光学部材との接触部分を示す断面図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
［照明器具］
まず、本実施の形態に係る照明器具の概要について、図１〜図３を用いて説明する。
【００１２】
図１は、本実施の形態に係る照明器具１の概観斜視図である。図２は、本実施の形態に係る照明器具１の分解斜視図である。図３は、本実施の形態に係る照明器具１の断面図である。具体的には、図３は、図２に示す光軸Ｊを通る断面を示している。なお、各図において、光軸Ｊに平行な方向をＺ軸方向、光軸Ｊに垂直で互いに直交する２つの方向をＸ軸方向及びＹ軸方向としている。
【００１３】
照明器具１は、ダウンライトなどの埋込型照明器具の一例であり、天井などの被取付部に埋込配設されて下方（Ｚ軸負方向）に光を照射する。本実施の形態では、図１〜図３に示すように、照明器具１は、灯体１０と、反射部材２０とを備える。本実施の形態では、照明器具１は、さらに、光学部材３０と、枠体４０と、ネジ５０とを備える。
【００１４】
以下、照明器具１が備える各構成部材について詳細に説明する。
【００１５】
［灯体］
灯体１０は、器具本体１１と、光源モジュール１２とを備える。本実施の形態では、図２に示すように、灯体１０は、さらに、取付部材１３と、ホルダ１４と、ネジ１５とを備える。灯体１０は、ホルダ１４及びネジ１５をそれぞれ２個ずつ備えるが、ホルダ１４及びネジ１５の個数は特に限定されない。
【００１６】
器具本体１１は、照明器具１の本体であり、内部に光源モジュール１２を備える筐体である。器具本体１１は、例えば、アルミニウムなどの金属材料から形成される。具体的には、器具本体１１は、アルミダイカスト製である。
【００１７】
図２に示すように、器具本体１１は、有底円筒部１１０と、複数のフィン１１１とを有する。
【００１８】
有底円筒部１１０は、略円板状の底部１１０ａと、底部１１０ａの外周に沿って立設された側壁部１１０ｂとを有する。有底円筒部１１０の底部１１０ａの内面には、光源モジュール１２が配置され、取付部材１３、２つのホルダ１４及び２つのネジ１５によって固定されている。
【００１９】
複数のフィン１１１は、有底円筒部１１０の底部１１０ａの外面から立設されている。複数のフィン１１１の一部のフィンは、所定の方向（Ｘ軸負方向）に延設されている。
【００２０】
光源モジュール１２は、照明器具１の光源の一例であり、白色などの所定の色（波長）の光を発する。光源モジュール１２は、器具本体１１に取り付けられている。具体的には、光源モジュール１２は、２つのネジ１５によって、有底円筒部１１０の底部１１０ａにネジ止めされる。光源モジュール１２は、電源回路（不図示）から供給される電力によって発光する。光源モジュール１２が発した光は、光学部材３０を透過して外部に出射される。
【００２１】
図２に示すように、光源モジュール１２は、基板１２０と、発光部１２１とを備える。光源モジュール１２は、ＬＥＤ（Ｌｉｇｈｔ  Ｅｍｉｔｔｉｎｇ  Ｄｉｏｄｅ）が基板１２０の主面に直接実装されたＣＯＢ（Ｃｈｉｐ  Ｏｎ  Ｂｏａｒｄ）構造を有する。なお、図示しないが、基板１２０上には、ＬＥＤ同士を電気的に接続するための所定形状の金属配線、及び、ＬＥＤを発光させるための電力を受ける受電端子が設けられている。また、光源モジュール１２は、表面実装型（ＳＭＤ：Ｓｕｒｆａｃｅ  Ｍｏｕｎｔ  Ｄｅｖｉｃｅ）型ＬＥＤを基板１２０に実装したＳＭＤ型の発光モジュールでもよい。
【００２２】
基板１２０は、例えば、セラミック基板、樹脂基板又はメタルベース基板などである。基板１２０の平面視形状は、矩形であるが、六角形若しくは八角形などの多角形又は円形などでもよい。基板１２０は、有底円筒部１１０の底部１１０ａに載置される。
【００２３】
発光部１２１は、複数のＬＥＤが封止部材によって封止されることによって、基板１２０の主面に設けられる。複数のＬＥＤは、例えば、青色光を発する青色ＬＥＤチップであり、マトリクス状に配置されている。封止部材は、ＬＥＤが発する青色光を受けて黄色光を発する蛍光体粒子を含む蛍光体含有樹脂である。発光部１２１は、ＬＥＤが発する青色光と、蛍光体粒子によって波長変換された黄色光との合成光として白色光を発する。
【００２４】
取付部材１３は、光源モジュール１２に対する枠体として機能する樹脂製の部材である。取付部材１３は、光源モジュール１２の横方向（基板１２０の主面に平行な方向）への移動を規制する。
【００２５】
取付部材１３は、図２に示すように、枠体部１３０と、爪部１３１とを備える。
【００２６】
枠体部１３０は、矩形の貫通孔１３０ａを有する。貫通孔１３０ａに光源モジュール１２の基板１２０が配置されて、基板１２０の横方向への移動が規制される。貫通孔１３０ａは、光源モジュール１２の基板１２０の形状に応じた形状を有する。
【００２７】
枠体部１３０は、２つのネジ孔を有する。ネジ孔には、ネジ１５がホルダ１４を介して挿入され、枠体部１３０は、有底円筒部１１０の底部１１０ａにネジ止めされる。これにより、枠体部１３０（取付部材１３）は、器具本体１１に固定される。
【００２８】
爪部１３１は、反射部材２０を支持するために設けられている。爪部１３１の詳細な構成については、図６を用いて後で説明する。
【００２９】
ホルダ１４は、光源モジュール１２を取付部材１３に取り付ける部材である。ホルダ１４は、具体的には、樹脂製のホルダ本体と、金属製で導電性を有する接触端子とを備える。
【００３０】
ホルダ本体は、ネジ孔を有し、ネジ孔に挿通されたネジ１５によって取付部材１３にネジ止めされる。ホルダ本体がネジ止めされた際に、ホルダ本体の一部が光源モジュール１２の基板１２０を押圧することで、光源モジュール１２が取付部材１３に固定される。
【００３１】
接触端子は、いわゆる速結端子である。接触端子は、金属板（例えば、銅板）に折り曲げ加工などを行うことで形成される。ホルダ１４を取付部材１３にネジ止めした場合に、接触端子は弾性変形する。弾性変形による復元力によって、接触端子は、光源モジュール１２の受電端子を付勢して電気的に接続される。
【００３２】
ネジ１５は、ホルダ１４と取付部材１３とを器具本体１１に固定するための締結部材の一例である。ネジ１５は、例えば、金属材料又は樹脂材料から形成される。
【００３３】
［反射部材］
反射部材２０は、開口部２１０を有する筒状の部材である。反射部材２０は、光源モジュール１２から出射された光を反射して開口部２１０から放射する。つまり、反射部材２０は、配光機能を有し、光源モジュール１２から出射された光を所望の方向（例えば、下方）に向けて放射する。反射部材２０は、照明器具１の主反射部として機能する。
【００３４】
反射部材２０は、例えば、ポリブチレンテレフタレート（ＰＢＴ）などの樹脂材料から形成される。具体的には、反射部材２０は、樹脂材料を用いた射出成形などによって形成される。なお、反射部材２０は、アルミニウムなどの金属材料から形成されてもよい。
【００３５】
図４は、本実施の形態に係る照明器具１の反射部材２０の概観斜視図である。図５は、本実施の形態に係る照明器具１の反射部材２０の平面（下面）図である。
【００３６】
図４及び図５に示すように、反射部材２０は、枠体部２００と、開口部２１０と、穴部２２０と、突起部２３０と、爪部２４０と、第１凸部２５０と、第２凸部２６０とを備える。
【００３７】
枠体部２００は、反射部材２０の本体であり、環状の枠体部である。枠体部２００の中央には、開口部２１０が設けられている。図４に示すように、枠体部２００は、平板部２０１と、外壁部２０２と、内壁部２０３とを備える。
【００３８】
平板部２０１は、環状の平板であり、一方の主面（載置面）には光学部材３０が載置される。具体的には、平板部２０１の載置面には第２凸部２６０が設けられているので、光学部材３０は、第２凸部２６０上に載置される。平板部２０１（枠体部２００）の平面視における外周形状は、器具本体１１の有底円筒部１１０の側壁部１１０ｂの内面に沿った形状である。
【００３９】
外壁部２０２は、平板部２０１の外周に沿って立設された壁である。外壁部２０２の外側の側面には、２つの突起部２３０が設けられている。外壁部２０２の内側の側面には、爪部２４０と第１凸部２５０とが設けられている。
【００４０】
内壁部２０３は、平板部２０１の内周に沿って立設された壁である。内壁部２０３は、略円環状に設けられている。内壁部２０３と外壁部２０２とによって、光学部材３０の横方向（平板部２０１の主面に平行な方向）への移動を規制する。
【００４１】
開口部２１０は、光源モジュール１２からの光が入射する開口（入射口）と、入射口から入射した光が出射する開口（出射口）とを有する。開口部２１０の内面が反射面であり、入射口から入射した光を当該反射面によって反射し、出射口から放射する。開口部２１０は、内径が入射口から出射口に向かって漸次大きくなるように形成されている。反射面は、光を所望の方向に効率良く反射させるために所定の湾曲形状を有する。反射面には、銀又はアルミニウムなどの金属材料からなる金属蒸着膜が形成されてもよい。
【００４２】
穴部２２０及び突起部２３０は、灯体１０が反射部材２０を支持するために設けられている。穴部２２０及び突起部２３０の詳細については、後で図６及び図７を用いて説明する。
【００４３】
爪部２４０、第１凸部２５０及び第２凸部２６０は、光学部材３０を支持するために設けられている。爪部２４０、第１凸部２５０及び第２凸部２６０の詳細については、後で図８及び図９を用いて説明する。
【００４４】
［光学部材］
光学部材３０は、反射部材２０の開口部２１０を覆うように設けられた透光性の部材である。図２に示すように、光学部材３０は、導光部３００と、被支持部３１０とを備える。
【００４５】
導光部３００は、平面視において開口部２１０を覆うように設けられ、入射した光を所定の方向に向けて出射する。導光部３００は、例えば、フレネル構造及び光拡散構造を有する。なお、導光部３００の構造は、フレネル構造に限らず、光源モジュール１２からの光を所定の方向に配光することができればいかなる構造でもよい。
【００４６】
被支持部３１０は、導光部３００の外周から外方に延設された環状の板部である。被支持部３１０が反射部材２０に支持されることで、光学部材３０は、反射部材２０に支持される。
【００４７】
本実施の形態では、被支持部３１０に凹部３１１が設けられている。凹部３１１は、光学部材３０に設けられた第２被係止部の一例である。凹部３１１は、光学部材３０の被係止部３１０の下面（枠体４０側の面）に設けられている。凹部３１１の平面視形状は、例えば矩形であるが、特に限定されない。
【００４８】
光学部材３０は、例えば、透光性を有する材料から形成される。具体的には、光学部材３０は、アクリル（ＰＭＭＡ）、ポリカーボネート（ＰＣ）などの透明樹脂材料から形成される。あるいは、光学部材３０は、ガラス材料から形成されてもよい。
【００４９】
［枠体］
枠体４０は、器具本体１１にネジ５０によって固定される筒状の枠体である。本実施の形態では、枠体４０は、光学部材３０から遠ざかる程、光出射方向（Ｚ軸負方向）に向かって開口が広がる筒状の部材である。枠体４０は、例えば、ＰＢＴなどの樹脂材料又は金属材料などから形成される。
【００５０】
枠体４０は、補助反射部４１０と、取付バネ４２０と、鍔部４３０とを備える。
【００５１】
補助反射部４１０は、枠体４０の内面に沿って設けられた補助反射板である。補助反射部４１０は、光学部材３０から出射された光の一部を所定の方向（例えば、下方）に向けて反射する。補助反射部４１０は、例えば、アルミニウムなどの金属材料から形成される。あるいは、補助反射部４１０は、ＰＢＴなどの樹脂材料から形成されてもよい。
【００５２】
なお、本実施の形態では、枠体４０と補助反射部４１０とが別体である例について示したが、これに限らない。補助反射部４１０は、枠体４０の内面でもよい。例えば、枠体４０の内面に金属蒸着膜などを補助反射部４１０として形成してもよい。
【００５３】
取付バネ４２０は、照明器具１を天井などの設置面に取り付けるために用いられる。具体的には、取付バネ４２０の復元力を利用して、取付バネ４２０と鍔部４３０とで天井板を挟持することで、照明器具１を取り付けることができる。取付バネ４２０は、鉄などの金属材料を用いてプレス加工などによって長尺状の細板形状に成形されている。本実施の形態では、３つの取付バネ４２０が設けられているが、取付バネ４２０の個数は特に限定されない。
【００５４】
鍔部４３０は、枠体４０の光出射側の縁部に設けられている。具体的には、鍔部４３０は、枠体４０の光出射側の端部から枠体４０の外方に突出するように環状に設けられたフランジである。鍔部４３０の上面（光源モジュール１２側の面）が天井などの設置面に当接することで、鍔部４３０と取付バネ４２０とによって天井板を挟持する。
【００５５】
［ネジ］
ネジ５０は、器具本体１１と枠体４０とを固定するための締結部材の一例である。なお、図１及び図２では、１つのネジ５０のみが示されているが、本実施の形態に係る照明器具１は、２つのネジ５０を備える。なお、ネジ５０の個数は、これに限定されない。ネジ５０は、例えば、樹脂材料又は金属材料から形成される。
【００５６】
［取付部材と反射部材との係止構造］
次に、取付部材１３と反射部材２０との係止構造について、図６を用いて詳細に説明する。
【００５７】
図６は、本実施の形態に係る照明器具１の一部分解斜視図であって、取付部材１３及び反射部材２０を示す図である。図２及び図６に示すように、反射部材２０は、２つの穴部２２０を備え、取付部材１３は、２つの爪部１３１を備える。
【００５８】
２つの穴部２２０は、反射部材２０に設けられた２つの第１被係止部の一例であり、灯体１０に設けられた第１係止部（具体的には、爪部１３１）が係止する部分である。２つの穴部２２０は、図６に示すように、取付部材１３の２つの爪部１３１に対応する位置に設けられている。具体的には、２つの穴部２２０は、Ｙ軸方向に沿って設けられている。
【００５９】
２つの爪部１３１は、灯体１０に設けられた２つの第１係止部の一例であり、反射部材２０に設けられた２つの第１被係止部（穴部２２０）に係止する。図３に示すように、２つの爪部１３１が２つの穴部２２０にそれぞれ係止することで、取付部材１３は、反射部材２０を支持する。
【００６０】
２つの爪部１３１はそれぞれ、枠体部１３０の端部から反射部材２０に向かって（Ｚ軸負方向に）立設されている。２つの爪部１３１の各々の先端部は、鉤状（フック状）に曲がっている。つまり、爪部１３１は、Ｌ字状に形成されている。図３に示すように、２つの爪部１３１の鉤状の先端部が穴部２２０に挿入されて係止することで、反射部材２０が取付部材１３に支持される。２つの爪部１３１は、Ｙ軸方向に並んで位置し、２つの穴部２２０にそれぞれ係止することで、反射部材２０をＹ軸方向で挟持する。
【００６１】
本実施の形態では、２つの爪部１３１の各々の先端部が互いに反対方向に曲がっている。図３及び図６に示すように、２つの爪部１３１の各々が、２つの穴部２２０に対して、光軸Ｊに近い（内方）側から光軸Ｊから遠い（外方）側に挿入されているが、これに限らない。２つの爪部１３１の各々の先端部が互いに向かい合うように曲がっており、２つの穴部２２０に対して外方側から内方側に挿入されてもよい。
【００６２】
なお、例えば、爪部１３１の個数及び穴部２２０の個数は２つに限らず、取付部材１３が３つ以上の爪部１３１を備え、反射部材２０が爪部１３１と同数の穴部２２０を備えてもよい。
【００６３】
［反射部材と器具本体との当接構造］
次に、反射部材２０と器具本体１１との当接構造について、図４、図５及び図７を用いて説明する。
【００６４】
図７は、本実施の形態に係る照明器具１の器具本体１１と反射部材２０の突起部２３０が当接していることを示す下面図である。
【００６５】
突起部２３０は、反射部材２０の外縁部に設けられ、灯体１０に当接する突起である。突起部２３０は、外壁部２０２の外側の側面から斜め方向に突出している。斜め方向とは、突起部２３０と外壁部２０２との接続部分における外壁部２０２の法線方向に対して傾斜した方向である。例えば、突起部２３０は、外壁部２０２に沿った方向に突出している。
【００６６】
突起部２３０の先端には、灯体１０に当接する当接部２３１が設けられている。具体的には、当接部２３１は、灯体１０に点接触又は線接触する。より具体的には、図４及び図５に示すように、当接部２３１は、三角柱状の突起である。図７に示すように、当接部２３１の一辺が器具本体１１に当接する。なお、当接部２３１は、器具本体１１に当接しているだけであり、係止していない。
【００６７】
図４、図５及び図７に示すように、突起部２３０は外壁部２０２に沿って延設されているので、突起部２３０と外壁部２０２との間には、所定の空間が設けられている。このため、当接部２３１が器具本体１１に当接した際に、寸法公差などによって突起部２３０を内方に押圧する力がかかったとしても、突起部２３０が弾性変形することにより、当該力を吸収することができる。また、図５に示すように、突起部２３０と外壁部２０２との間には補強部２３２（具体的には、平板部２０１が外壁部２０２の外方にまで延設されたリブ）が設けられている。このため、突起部２３０が破損するのを抑制することができる。
【００６８】
本実施の形態では、２つの突起部２３０が反射部材２０の外縁部に設けられている。具体的には、２つの穴部２２０を結ぶ第１仮想線２９０と、２つの突起部２３０（当接部２３１）を結ぶ第２仮想線２９１とは、交差している。あるいは、第１仮想線２９０と第２仮想線２９１とは、ねじれの位置（立体交差している）にある。
【００６９】
なお、図５には、第１仮想線２９０及び第２仮想線２９１の投影像を二点鎖線で示している。投影像は、第１仮想線２９０及び第２仮想線２９１を開口部２１０の開口面に投影したときの像である。図５に示すように、第１仮想線２９０の投影像と第２仮想線２９１の投影像とがなす角度θは、４５度以上９０度以下である。
【００７０】
本実施の形態では、図６に示すように、Ｙ軸方向に挟むようにして取付部材１３が反射部材２０を支持する。したがって、Ｙ軸方向に沿った方向、すなわち、第１仮想線２９０に沿った方向には、反射部材２０の移動が規制される。また、２つの突起部２３０によって、第２仮想線２９１に沿った方向への反射部材２０の移動が規制される。したがって、第１仮想線２９０と第２仮想線２９１とのなす角度θが９０度に近い程、反射部材２０の移動を効果的に規制することができる。
【００７１】
［反射部材による光学部材の支持構造］
次に、反射部材２０による光学部材３０の支持構造について、図４、図５、図８及び図９を用いて説明する。
【００７２】
図８は、図５のＶＩＩＩ−ＶＩＩＩ線における実施の形態に係る光学部材３０が反射部材２０に支持されていることを示す断面図である。図９は、本実施の形態に係る光学部材３０の厚さに応じた第１凸部２５０と光学部材３０との接触部分を示す断面図である。なお、図９に示す断面は、図８に示す断面と同様に、図５のＶＩＩＩ−ＶＩＩＩ線における断面に相当する。
【００７３】
本実施の形態では、図５に示すように、反射部材２０は、３つの爪部２４０と、２つの第１凸部２５０と、３つの第２凸部２６０とを有する。光学部材３０は、爪部２４０と平板部２０１との間に配置される。具体的には、図８に示すように、光学部材３０は、爪部２４０と、第１凸部２５０及び第２凸部２６０とによって挟持される。
【００７４】
爪部２４０は、第２係止部の一例であり、光学部材３０に設けられた第２被係止部（図８に示す凹部３１１）に係止する。図４に示すように、爪部２４０は、外壁部２０２から内方に向かって凸に設けられている。具体的には、爪部２４０は、平板部２０１から離れた部分（外壁部２０２の立設方向（Ｚ軸負方向）における先端部分）に設けられている。
【００７５】
図８に示すように、爪部２４０は、光学部材３０の被支持部３１０に設けられた凹部３１１に係止する。爪部２４０は、照明器具１が天井などに取り付けられた場合に、光学部材３０の下面側を支持する。
【００７６】
本実施の形態では、３つの爪部２４０は、互いの距離が大きくなるように離れて設けられている。具体的には、反射部材２０を平面視したときの３つの爪部２４０がなす三角形の重心が、光軸Ｊの近傍（例えば、開口部２１０内）に位置するように、３つの爪部２４０は設けられている。これにより、照明器具１が天井などに取り付けられた場合、３点でバランス良く支えることができるので、光学部材３０の落下を抑制することができる。
【００７７】
第１凸部２５０は、斜面を有する。具体的には、第１凸部２５０は、三角錐状の凸部である。なお、第１凸部２５０は、三角錐状に限らず、円錐状でもよい。図４及び図８に示すように、第１凸部２５０は、平板部２０１と外壁部２０２との接続部分に設けられている。第１凸部２５０は、平板部２０１に近い程、肉厚である。
【００７８】
第１凹部２５０の斜面には、光学部材３０の外縁部が当接する。具体的には、図８に示すように、光学部材３０の被支持部３１０が爪部２４０と平板部２０１との間に支持された場合に、被支持部３１０は、第１凸部２５０の斜面に当接する。より具体的には、被支持部３１０は、第１凸部２５０に点接触する。なお、第１凸部２５０は、光学部材３０（被支持部３１０）が当接することによって撓んでいてもよい。
【００７９】
図９の（ａ）に示すように、被支持部３１０の厚さｔ１が設計寸法よりも小さい場合、被支持部３１０は、第１凸部２５０の斜面の、平板部２０１から離れた部分（点Ｐ）に当接する。逆に、図９の（ｂ）に示すように、被支持部３１０の厚さｔ２が設計寸法よりも大きい場合、被支持部３１０は、第１凸部２５０の斜面の、平板部２０１に近い部分（点Ｑ）に当接する。
【００８０】
このように、被支持部３１０に寸法公差が生じた場合でも、接触部分が斜面に沿って移動することで、被支持部３１０を第１凸部２５０に当接させることができる。したがって、横方向への移動を第１凸部２５０と外壁部２０２及び内壁部２０３とによって規制することができる。被支持部３１０の幅に寸法公差が生じた場合、及び、反射部材２０に寸法公差が生じた場合も同様である。
【００８１】
第２凸部２６０は、平板部２０１に設けられている。具体的には、第２凸部２６０は、平板部２０１の載置面から突出した略半球状の凸部である。なお、第２凸部２６０の形状は、略半球状に限らず、角柱状又は角錐状などでもよい。
【００８２】
図８に示すように、第２凸部２６０の頂部（先端部）が光学部材３０の被支持部３１０に当接する。つまり、光学部材３０は、爪部２４０と第２凸部２６０とによって挟持されている。
【００８３】
本実施の形態では、３つの第２凸部２６０は、互いの距離が大きくなるように離れて設けられている。具体的には、反射部材２０を平面視したときの３つの第２凸部２６０がなす三角形の重心が、光軸Ｊの近傍（例えば、開口部２１０内）に位置するように、３つの第２凸部２６０は設けられている。このとき、３つの第２凸部２６０がなす三角形と３つの爪部２４０がなす三角形とが互いに重ならないように、３つの第２凸部２６０は配置されていてもよい。これにより、爪部２４０が光学部材３０に当接する部分と第２凸部２６０が光学部材３０に当接する部分とを、平面視において効果的に分散させることができるので、光学部材３０にかかる応力を分散させることができる。したがって、光学部材３０の破壊などを抑制しつつ、光学部材３０を強固に保持することができる。
【００８４】
［効果など］
以上のように、本実施の形態に係る照明器具１は、器具本体１１、及び、器具本体１１に取り付けられた光源モジュール１２を備える灯体１０と、開口部２１０を有し、光源モジュール１２から出射された光を反射して開口部２１０から放射する筒状の反射部材２０とを備え、反射部材２０には、２つの穴部２２０が設けられ、灯体１０には、２つの爪部１３１が設けられ、反射部材２０は、２つの爪部１３１が２つの穴部２２０の各々に係止することによって、灯体１０に支持され、反射部材２０の外縁部には、灯体１０に当接する少なくとも２つの突起部２３０が設けられている。
【００８５】
これにより、２つの爪部１３１が２つの穴部２２０にそれぞれ係止することで、反射部材２０を灯体１０に容易に取り付けることができる。例えば、ネジ止めなどを利用する場合は、部材点数の増加及び組み立て作業が煩雑化するのに対して、本実施の形態に係る照明器具１によれば、爪部１３１と穴部２２０とを係止させるだけで済むので、組み立て作業性を向上させることができる。
【００８６】
このとき、従来の照明器具においては、器具本体と反射体との間には、クリアランスを設ける設計を行うのが一般的である。クリアランスを設けることで、寸法公差を吸収することができ、また、照明器具の点灯中に発生する熱による器具本体又は反射体の膨張を吸収することができる。つまり、クリアランスを設けることで、組み立てを容易にすることができ、また、熱膨張などによる部材の欠損を抑制することができる。
【００８７】
しかしながら、クリアランスを設けることで、反射体が器具本体に対して適切に固定されなくなる。例えば、照明器具の運搬時、又は、取り付け時などに反射体ががたついて異音が発生する場合があり、照明器具の品質上好ましくない。
【００８８】
そこで、本実施の形態に係る照明器具１によれば、２つの突起部２３０が灯体１０に当接しているので、反射部材２０の灯体１０に対する移動を規制することができる。すなわち、反射部材２０は、２ヶ所の係止部分（爪部１３１と穴部２２０とが係止している部分）だけでなく、突起部２３０が設けられている２ヶ所の部分の少なくとも４ヶ所で灯体１０に接触しているので、その移動が規制される。したがって、反射部材２０ががたつく（移動する）ことによる異音の発生などを抑制することができる。
【００８９】
このとき、２つの突起部２３０は、灯体１０に当接しているだけで、係止していない。したがって、組み立て作業時などにおいて、２つの突起部２３０には過度に応力がかからないので、突起部２３０（又は、灯体１０若しくは反射部材２０）の破損が抑制される。また、組み立て作業性が損なわれることも抑制することができる。
【００９０】
このように、本実施の形態に係る照明器具１によれば、組み立て作業性の悪化を抑制することができ、かつ、部材のがたつきの発生を抑制することができる。
【００９１】
また、例えば、２つの爪部１３１を結ぶ第１仮想線２９０と、２つの突起部２３０を結ぶ第２仮想線２９１とは、交差している、又は、ねじれの位置にある。
【００９２】
これにより、２ヶ所の係止部分で第１仮想線２９０の方向に、かつ、２つの突起部２３０で第２仮想線２９１の方向にそれぞれ反射部材２０ががたつくのを抑制することができる。したがって、反射部材２０のがたつきの発生を一層抑制することができる。
【００９３】
また、例えば、第１仮想線２９０と第２仮想線２９１とを開口部２１０の開口面に投影した場合に、第１仮想線２９０の投影像と第２仮想線２９１の投影像とがなす角度は、４５度以上９０度以下である。
【００９４】
これにより、第１仮想線２９０と第２仮想線２９１とのなす角度が大きいので、反射部材２０のがたつきの発生をより一層抑制することができる。
【００９５】
また、例えば、照明器具１は、さらに、開口部２１０を覆うように設けられた透光性の光学部材３０を備え、灯体１０又は反射部材２０には、さらに、爪部２４０と、斜面を有する第１凸部２５０とが設けられ、光学部材３０には、凹部３１１が設けられ、光学部材３０は、爪部２４０が凹部３１１に係止することで、灯体１０又は反射部材２０に支持され、光学部材３０の外縁部は、斜面に当接している。
【００９６】
これにより、爪部２４０が凹部３１１に係止することで、光学部材３０を反射部材２０に容易に取り付けることができる。例えば、ネジ止めなどを利用する場合は、部材点数の増加及び組み立て作業が煩雑化するのに対して、本実施の形態に係る照明器具１によれば、爪部２４０と凹部３１１とを係止させるだけで済むので、組み立て作業性を向上させることができる。
【００９７】
さらに、照明器具１によれば、光学部材３０の外縁部が第１凸部２５０に当接しているので、光学部材３０の反射部材２０に対する移動を規制することができる。すなわち、光学部材３０は、係止部分（爪部２４０と凹部３１１とが係止している部分）だけでなく、第１凸部２５０が設けられている部分の少なくとも２ヶ所で反射部材２０に接触しているので、その移動が規制される。したがって、光学部材３０ががたつく（移動する）ことによる異音の発生などを抑制することができる。
【００９８】
また、第１凸部２５０は斜面を有し、光学部材３０の外縁部は当該斜面に当接しているので、光学部材３０又は反射部材２０に寸法公差が生じたとしても、斜面上の異なる位置で当接することができる。したがって、光学部材３０ががたつくことを抑制することができる。このように、第１凸部２５０が斜面を有することで、寸法公差が生じたとしても、その寸法公差を吸収し、光学部材３０のがたつきの発生を抑制することができる。
【００９９】
また、例えば、光学部材３０は、斜面に点接触している。
【０１００】
これにより、例えば、光学部材３０と斜面（第１凸部２５０）とが面接触している場合、寸法公差が大きい場合には、部材の組み立てができなくなる（例えば、部材が破損する）場合がある。これに対して、本実施の形態に係る照明器具１では光学部材３０が斜面に点接触しているので、光学部材３０などに寸法公差が生じたとしても、図９に示したように、接触位置が斜面に沿ってずれることで光学部材３０と反射部材２０とを組み立てることができる。
【０１０１】
また、例えば、第１凸部２５０は、光学部材３０が当接することによって撓んでいる。
【０１０２】
これにより、第１凸部２５０が撓むことによる復元力によって、光学部材３０を押圧することで、光学部材３０を第１凸部２５０と爪部２４０とによって強固に支持することができる。したがって、光学部材３０のがたつきの発生をより一層抑制することができる。
【０１０３】
また、例えば、灯体１０又は反射部材２０には、さらに、第２凸部２６０が設けられ、光学部材３０は、爪部２４０と第２凸部２６０とによって挟持されている。
【０１０４】
これにより、第２凸部２６０と爪部２４０とによって光学部材３０を挟持するので、光学部材３０のがたつきの発生を一層抑制することができる。
【０１０５】
（その他）
以上、本発明に係る照明器具について、上記の実施の形態に基づいて説明したが、本発明は、上記の実施の形態に限定されるものではない。
【０１０６】
例えば、上記の実施の形態では、第１係止部の一例として、取付部材１３に爪部１３１を設けたが、これに限らない。第１係止部は、灯体１０に含まれる部材に設けられていればよい。例えば、第１係止部は、器具本体１１（具体的には、有底円筒部１１０）に設けられていてもよい。また、少なくとも２つの第１係止部の少なくとも１つが取付部材１３に設けられ、他の少なくとも１つが器具本体１１に設けられてもよい。
【０１０７】
また、例えば、上記の実施の形態では、第２係止部の一例として、反射部材２０に爪部２４０を設けたが、これに限らない。第２係止部は、灯体１０に設けられてもよい。具体的には、第２係止部は、器具本体１１に設けられてもよい。同様に、第１凸部２５０及び第２凸部２６０も、灯体１０に設けられてもよい。すなわち、光学部材３０は、反射部材２０ではなく、灯体１０（器具本体１１など）に係止されてもよい。
【０１０８】
あるいは、例えば、爪部２４０は、光学部材３０に設けられていてもよい。つまり、光学部材３０が第２係止部を有してもよい。この場合、灯体１０又は反射部材２０が第２被係止部を有する。第１凸部２５０及び第２凸部２６０も同様に、光学部材３０に設けられていてもよい。
【０１０９】
また、例えば、本実施の形態では、光学部材３０が第２被係止部の一例として凹部３１１を備える例について示したが、これに限らない。光学部材３０は、凹部３１１を備えなくてもよい。すなわち、光学部材３０の下面が第２被係止部でもよい。
【０１１０】
また、例えば、本実施の形態では、灯体１０が取付部材１３、ホルダ１４及びネジ１５などを備える例について示したが、これに限らない。例えば、灯体１０は、取付部材１３及びホルダ１４を備えずに、光源モジュール１２が灯体１０に直接ネジ止めされてもよい。あるいは、光源モジュール１２は、ネジ１５ではなく、接着剤などによって灯体１０に接着されてもよい。
【０１１１】
また、例えば、本実施の形態では、光源モジュール１２がＬＥＤを備える例について示したが、これに限らない。光源モジュール１２は、ＬＥＤの代わりに、有機ＥＬ（Ｅｌｅｃｔｒｏ  Ｌｕｍｉｎｅｓｃｅｎｃｅ）素子又は半導体レーザ素子などを備えてもよい。
【０１１２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１３】
１  照明器具
１０  灯体
１１  器具本体
１２  光源モジュール（光源）
２０  反射部材
３０  光学部材
１３１  爪部（第１係止部）
２１０  開口部
２２０  穴部（第１被係止部）
２３０  突起部
２４０  爪部（第２係止部）
２５０  第１凸部
２６０  第２凸部
２９０  第１仮想線
２９１  第２仮想線
３１１  凹部（第２被係止部）
【図１】
0006583773.tif 000002
【図２】
0006583773.tif 000003
【図３】
0006583773.tif 000004
【図４】
0006583773.tif 000005
【図５】
0006583773.tif 000006
【図６】
0006583773.tif 000007
【図７】
0006583773.tif 000008
【図８】
0006583773.tif 000009
【図９】
0006583773.tif 000010